(57)【特許請求の範囲】
【請求項１】
畝に作付けられた根菜を収穫する根菜類収穫機であって、
畝に掛けられたマルチシートの植付け孔から突出した葉茎を挟持して後方斜め上方に向けて搬送する挟持引上げ搬送装置を、地面近くから後方上方に向けて傾斜配備し、この挟持引上げ搬送装置における始端部の下方近傍にマルチ用葉切り装置を配備するとともに、このマルチ用葉切り装置の前方より該マルチ用葉切り装置の下部に向けて配設されるとともに、マルチ用葉切り装置の前方近傍を通って上方に湾曲しその上端部がマルチ用葉切り装置よりも上方で且つ前記挾持引上げ搬送装置の始端部近傍に向けて延出された案内機構を設け、この案内機構により根菜本体がマルチ用葉切り装置の下方に案内されて当該マルチ用葉切り装置により葉茎を切断することを許容するとともに、マルチ用葉切り装置で切断されないで挟持引上げ搬送装置で茎葉を挾持された状態で植付け孔から抜き上げられた根菜本体は前記案内機構によりマルチ用葉切り装置の前方より上方に案内されるようにしてある根菜類収穫機。
【請求項２】
前記案内機構を、前記マルチ用葉切り装置の下方にまで配置してある請求項１記載の根菜類収穫機。
【請求項３】
前記案内機構を、根菜本体の大きさより小さい間隔で左右に並列配置した複数本のガイド棒で構成してある請求項１または２記載の根菜類収穫機。
【請求項４】
前記マルチ用葉切り装置を、互いに掻込み方向に回転駆動される左右一対の円盤状の回転刃で構成するとともに、各回転刃と同心に、回転刃の外周より突出する突起を備えた掻き込み回転体を回転刃と一体に回転可能に配備してある請求項１〜３のいずれか一項に記載の根菜類収穫機。
【請求項５】
マルチシートが掛けられた畝における畝肩の裾近くから畝に植付けられた根菜の下方に入り込んで前後に往復駆動される土切り崩し体を、前記マルチ用葉切り装置の切断部位より後方箇所に配備してある請求項１〜４のいずれか一項に記載の根菜類収穫機。
【請求項６】
前記土切り崩し体の直前方位置における畝肩の裾近くに、畝に掛けられたマルチシートの裾を自由にしてめくり上げ容易な状態にするシートめくり上げ用補助具を配備してある請求項５記載の根菜類収穫機。
【請求項７】
前記挟持引上げ搬送装置の下方に、葉茎を挟持されて後方に吊り下げ搬送される根菜の葉茎を左右の上昇位置規制ガイド部の間に導入して根菜が後方に移動する間に根菜本体の上昇を規制してその高さを揃える位置揃え装置と、高さの揃えられた根菜の葉茎を切断する葉切りカッタを配備するとともに、前記挟持引上げ搬送装置の始端部下方に配備された前記マルチ用葉切り装置と前記案内機構を脱着可能に構成してある請求項１〜６のいずれか一項に記載の根菜類収穫機。
【請求項８】
前記マルチ用葉切り装置と前記案内機構とを、一体脱着可能なユニット状に構成してある請求項７記載の根菜類収穫機。
【発明の詳細な説明】
【０００１】
【発明の属する技術分野】
本発明は、玉ねぎ、人参、大根、ニンニク、などの根菜類の収穫に利用する収穫機に関する。
【０００２】
【従来の技術】
上記収穫機の一例である玉ねぎ収穫機としては、例えば、特許公報第２７５９４４２号で示されたものが知られている。この玉ねぎ収穫機は、係止爪を前方側に向けて突出させた姿勢で地面近傍から後方斜め上方に向けて移動させて圃場にある根菜の葉茎を引き上げる縦回し型の葉茎引上げ装置と、この葉茎引上げ装置によって引き上げられた葉茎を、係止爪を横方向に向けて突出した姿勢で後方斜め上方に向けて移動させて掻き上げる横回し型の葉茎掻上げ装置と、この葉茎掻上げ装置によって掻き上げられた葉茎を挟持して後方斜め上方に向けて挟持搬送する挟持引上げ搬送装置とを備え、機体を根菜条にそって前進移動させることで、先ず、倒れ込んでいる葉茎を葉茎引上げ装置によって引き上げ、次いで、引き上げられた葉茎を左右の葉茎掻上げ装置で掻上げて挟持引上げ搬送装置の始端部に導き、この挟持引上げ搬送装置で葉茎を挟持して後方斜め上方に向けて搬送することで、根菜を圃場から抜き上げ、その後、葉切り処理、等を施して根菜本体を圃場面に放出してゆくよう構成されている。
【０００３】
また、この玉ねぎ収穫機においては、挟持引上げ搬送装置の挟持始端部位に相当する箇所の横側に、根菜本体の下方にまで入り込んで前後に往復駆動される土切り崩し体を配備して、収穫する玉ねぎの周辺の土を膨軟化することで、挟持引上げ搬送装置による玉ねぎの抜き上げを容易に行えるようにしている。
【０００４】
【発明が解決しようとする課題】
上記構成の玉ねぎ収穫機は、４条の玉ねぎが植付けられた幅広の平畝をまたいで往復走行することで、進行方向左側の２条づつを収穫するよう構成されたものであり、一行程で収穫すべき２条の玉ねぎの周辺土壌を膨軟化する土切り崩し体は、畝の左側および畝上の中央から畝に突入されてた。
【０００５】
上記構成は、畝の土壌が露出された、いわゆる露地栽培された玉ねぎの収穫に対応して構成されたものであり、畝にマルチシートを掛けて栽培する形態の圃場においては、畝に掛けられたマルチシートによって根菜の抜き上がりが阻止されるので、所望の引上げ搬送を行うことができないものであり、また、マルチシートの掛けられた畝上の中央から土切り崩し体を畝に突入することもできないものであった。
【０００６】
そこで、従来では、マルチ掛けされた畝での収穫に際しては、収穫機による収穫を行う前に、マルチシートを人手によって除去していた。しかし、マルチシートの植付け孔から出た葉茎は周囲に広く張り出しており、マルチシートだけを簡単にめくり上げるわけにはゆかず、マルチシートを切り破りながら除去することになり、このシート除去作業に多大な労力と時間を必要とするものであった。
【０００７】
本発明は、このような実情に着目してなされたものであって、マルチ掛けされた畝で栽培された根菜類を機械的に収穫するのに有効に活用することのできる収穫機を提供することを主たる目的としている。
【０００８】
【課題を解決するための手段】
〔請求項１に係る発明の構成、作用および効果〕
【０００９】
（構成）  請求項１に係る発明は、畝に作付けられた根菜を収穫する根菜類収穫機であって、畝に掛けられたマルチシートの植付け孔から突出した葉茎を挟持して後方斜め上方に向けて搬送する挟持引上げ搬送装置を、地面近くから後方上方に向けて傾斜配備し、この挟持引上げ搬送装置における始端部の下方近傍にマルチ用葉切り装置を配備するとともに、このマルチ用葉切り装置の前方より該マルチ用葉切り装置の下部に向けて配設されるとともに、マルチ用葉切り装置の前方近傍を通って上方に湾曲しその上端部がマルチ用葉切り装置よりも上方で且つ前記挾持引上げ搬送装置の始端部近傍に向けて延出された案内機構を設け、この案内機構により根菜本体がマルチ用葉切り装置の下方に案内されて当該マルチ用葉切り装置により葉茎を切断することを許容するとともに、マルチ用葉切り装置で切断されないで挟持引上げ搬送装置で茎葉を挾持された状態で植付け孔から抜き上げられた根菜本体は前記案内機構によりマルチ用葉切り装置の前方より上方に案内されるようにしてある。
【００１０】
（作用）  上記構成によると、機体を畝に沿って走行させると、マルチシート上に突出した葉茎は挟持引上げ搬送装置で挟持されて後方上方へ引上げ搬送され、これに伴ってマルチシート下方の根菜本体は、マルチシートとともに畝から引き上げられ、大きく引き上げられるまでに葉茎がマルチ用葉切り装置の切断箇所に到達して切断され、切断された葉茎は引き続き挟持引上げ搬送装置で挟持搬送されてゆくとともに、葉切りされた根菜本体はマルチシートの下において畝上に残し置かれる。
【００１１】
その後、突出していた葉茎が切断除去された状態のマルチシートを人手あるいは巻取り装置によってめくり上げ除去し、畝上に残し置かれた根菜本体を回収してゆく。
【００１２】
この場合、葉茎が後方に倒れ込んだ状態、いわゆる「迎え刈り」状態で機体を前進させると、葉茎が先行して挟持引上げ搬送装置によって挟持されて後方上方に引上げられるために、根菜本体が切断箇所に到達するまでにマルチシートの植付け孔を破って抜き上げられることがあり、このように引き抜かれた根菜本体は、本発明の案内機構を備えていない場合は、切断箇所に到達するとマルチ用葉切り装置によって切断（胴切り）されてしまい、挟持引上げ搬送装置の始端部で詰まってしまうような事態が発生することがある。
【００１３】
ここで、本発明では、マルチ用葉切り装置の前方よりマルチ用葉切り装置の下部に向けて配設されるとともに、マルチ用葉切り装置の前方近傍を通って上方に湾曲しその上端部がマルチ用葉切り装置よりも上方で且つ挾持引上げ搬送装置の始端部近傍に向けて延出された案内機構を設けてあるので、マルチ用葉切り装置の下方に案内された根菜本体はマルチ用葉切り装置により葉茎を切断される。他方、マルチ用葉切り装置で切断されないで挟持引上げ搬送装置で茎葉を挾持された状態で植付け孔から抜き上げられた場合の根菜本体は案内機構によりマルチ用葉切り装置の前方より上方に案内され、挟持引上げ搬送装置で上方に引上げられる。すなわち、通常は、マルチシートの植付け孔から突出している葉茎は、案内機構に邪魔されることなく機体の前進に伴って相対的に後方に移動して、上記のように切断されが、植付け孔から抜き上げられた根菜本体がマルチ用葉切り装置の前部に接近すると、案内機構が根菜本体を上方に案内してマルチ用葉切り装置に接触するのを回避し、根菜本体は葉茎が切断されることなく挟持引上げ搬送装置によって挟持されて後方上方に搬送されていく。
【００１４】
（効果）  従って、請求項１に係る発明によると、マルチ掛けされた畝で栽培された根菜類の収穫において、根菜本体を損傷することなく能率よく収穫することが可能になるとともに、植付け孔から抜き上げられた根菜本体が切断されて、搬送詰まりをもたらすようなことを未然に回避することができ、連続した収穫を能率よく行うことができるようになった。
【００１５】
〔請求項２に係る発明の構成、作用および効果〕
【００１６】
（構成）  請求項２に係る発明は、請求項１の発明において、前記案内機構を、前記マルチ用葉切り装置の下方にまで配置してある。
【００１７】
（作用）  上記構成によると、挟持引上げ搬送装置によって挟持搬送される根菜が切断箇所の近傍においてマルチシートごと上昇されると、根菜本体やマルチシートがマルチ用葉切り装置に接触して傷つけられてしまうおそれが生じるが、本発明では、案内機構を、マルチ用葉切り装置の下方にまで配置してあるので、根菜本体がマルチシートごと上昇されようとしても、マルチ用葉切り装置の下方位置する案内機構がその上昇を接当規制して、葉切り装置に接触することが回避される。
【００１８】
（効果）  従って、請求項２に係る発明によると、請求項１の発明の上記効果をもたらすとともに、根菜本体がマルチシートを通って引き抜かれることのない通常の収穫状態でも、根菜本体やマルチシートが葉切り装置に接触して傷つくおそれがくなり、一層良好な収穫を行うことができる。
【００１９】
〔請求項３係る発明の構成、作用および効果〕
【００２０】
（構成）  請求項３に係る発明は、請求項１または２の発明において、前記案内機構を、根菜本体の大きさより小さい間隔で左右に並列配置した複数本のガイド棒で構成してある。
【００２１】
（作用・効果）  上記構成によると、市販の棒材を所要の長さに切断して所要の形状に曲げ加工してなるガイド棒を並列配置するだけで、所期の案内機能を発揮する案内機構を安価に構成することができる。
【００２２】
〔請求項４に係る発明の構成、作用および効果〕
【００２３】
（構成）  請求項４に係る発明は、請求項１〜３のいずれか一項の発明において、前記マルチ用葉切り装置を、互いに掻込み方向に回転駆動される左右一対の円盤状の回転刃で構成するとともに、各回転刃と同心に、回転刃の外周より突出する突起を備えた掻き込み回転体を回転刃と一体に回転可能に配備してある。
【００２４】
（作用）  上記構成によると、マルチ用葉切り装置に近づいた根菜の葉茎は、左右の掻き込み回転体の突起に係止されて切断部位に掻き込み導入され、葉茎は前方に逃げることなく切断されてゆく。ここで、回転刃は高速で回転駆動するのが一般的であるので、マルチ用葉切り装置に導入された葉茎は、挟持引上げ搬送装置によって引上げられる間もなく素早く掻き込まれて切断されることになり、根菜本体がマルチシートごと大きく引上げられてしまうような現象が生じにくいものとなる。
【００２５】
（効果）  従って、請求項４に係る発明によると、請求項１〜３のいずれか一項の発明の上記効果をもたらすとともに、根菜本体がマルチシートごと大きく引上げられてしまうようことなく、マルチシートから突出している葉茎を的確に切断することができる。
【００２６】
〔請求項５に係る発明の構成、作用および効果〕
【００２７】
（構成）  請求項５に係る発明は、請求項１〜４のいずれか一項の発明において、マルチシートが掛けられた畝における畝肩の裾近くから畝に植付けられた根菜の下方に入り込んで前後に往復駆動される土切り崩し体を、前記マルチ用葉切り装置の切断部位より後方箇所に配備してある。
【００２８】
（作用・効果）  上記構成によると、マルチシートから突出している葉茎が切断された後、畝上に残された根菜本体の周辺の土は土切り崩し体によって膨軟化されるので、畝上の根菜本体は取上げやすい状態となり、マルチシートをめくり上げた後の根菜本体の回収を容易に行うことができる。
【００２９】
〔請求項６に係る発明の構成、作用および効果〕
【００３０】
（構成）  請求項６に係る発明は、請求項５の発明において、前記土切り崩し体の直前方位置における畝肩の裾近くに、畝に掛けられたマルチシートの裾を自由にしてめくり上げ容易な状態にするシートめくり上げ用補助具を配備してある。
【００３１】
（作用）  上記構成によると、挟持引上げ搬送装置の挟持始端部位に相当する箇所の横側では、先ず、シートめくり上げ用補助具が畝肩の裾近くに作用しながら前進移動することで、マルチシートの裾に被されていた土が崩されたり、除去されたりして、マルチシートの裾がめくり上げ容易な状態となる。引き続き土切り崩し体が、シートめくり上げ用補助具が通った畝肩の裾近くから根菜本体の下方に入り込んで前後に往復駆動されながら前進移動し、根菜の植わっている付近の土を膨軟化する。この時、シートめくり上げ用補助具の通過によってマルチシートの裾はめくり上げの容易な状態となっているので、土切り崩し体がマルチシートの裾を無理なく押し上げめくり上げてゆく。
【００３２】
（効果）  従って、請求項６に係る発明によると、マルチシートを引っ掛けて破るようなことなく、横幅の広い土切り崩し体を容易に突入させて進行させることができ、マルチ掛けされた畝での収穫を円滑かつ確実に行う上で有効となる。
【００３３】
〔請求項７に係る発明の構成、作用および効果〕
【００３４】
（構成）  請求項７に係る発明は、請求項１〜６のいずれか一項の発明において、前記挟持引上げ搬送装置の下方に、葉茎を挟持されて後方に吊り下げ搬送される根菜の葉茎を左右の上昇位置規制ガイド部の間に導入して根菜が後方に移動する間に根菜本体の上昇を規制してその高さを揃える位置揃え装置と、高さの揃えられた根菜の葉茎を切断するカッターを配備するとともに、前記挟持引上げ搬送装置の始端部下方に配備された前記マルチ用葉切り装置を脱着可能に構成してある。
【００３５】
（作用）  上記構成によると、マルチ用葉切り装置を所定の位置に装着することで、マルチ掛けした畝において、マルチシートから伸び出ている葉茎の切断を行ってシートのめくり上げを容易にして、畝に残し置かれた根菜回収を行うことができる。また、マルチ用葉切り装置を取外すと、マルチ掛けされていない畝の根菜を挟持引上げ搬送装置で引上げて後方上方に吊り下げ搬送し、上昇位置規制ガイド部によって高さ揃えをした後、カッターで葉茎を切断し、葉切りした根菜本体を畝上に放置してゆくことができる。
【００３６】
（効果）  従って、請求項７に係る発明によると、請求項１〜６のいずれか一項の発明における上記効果をもたらすとともに、マルチ掛け栽培された根菜の収獲と、露地栽培された根菜の収獲とを一機種で行うことができ、実用上の利便性に優れたものとなる。
【００３７】
〔請求項８に係る発明の構成、作用および効果〕
【００３８】
（構成）  請求項８に係る発明は、請求項７の発明において、前記マルチ用葉切り装置と前記案内機構とを、一体脱着可能なユニット状に構成してある。
【００３９】
（作用・効果）  上記構成によると、マルチ仕様と露地仕様との切換えを行う際に、マルチ用葉切り装置と案内機構とを一つのユニットとして取り扱うことができ、仕様変更操作が容易となる。
【００４０】
【発明の実施の形態】
以下、本発明を歩行型の玉ねぎ収穫機に適用した実施形態の一例を図面に基づいて説明する。
【００４１】
この玉ねぎ収穫機は、基本的には露地栽培時の収獲用の仕様（露地仕様）に構成されており、その露地仕様に設定された玉ねぎ収穫機が図１４〜図２１に示されている。また、その基本構成に一部改造を加えることで、マルチ掛けされた畝での収獲用の仕様（マルチ仕様）に設定することができるようになっており、マルチ仕様に設定された玉ねぎ収穫機が図１〜図１３に示されている。
【００４２】
先ず、基本構成である露地仕様の構成を図１４〜図２１に基づいて説明する。この玉ねぎ収穫機は、幅広の平畝上に栽培された４条の玉ねぎ（根菜）Ｗの内の進行方向右側２条を収穫するよう構成されたものであり、ループ状の操縦ハンドル１が備えられた３輪走行式の走行機体Ａの前部に２条堀り仕様の収穫部Ｂが装備された構造となっている。
【００４３】
前記走行機体Ａは、畝をまたぐ左右一対の駆動後輪２と右側の畝底を移動する一つの遊転前輪３が備えられており、機体後部に搭載したエンジン４からの動力がミッションケース５で変速された後、車軸ケース６よびチェーンケース７を介して左右の駆動後輪２に伝達されるようになっている。そして、畝幅に応じて後輪トレッドを変更できるように、左側の車軸ケース６を伸縮して左側の駆動後輪２を左右に位置変更できるよう構成されている。また、収穫部Ｂの対地高さを決めるゲージ輪として機能する遊転前輪３は、手元ハンドル８を回転操作することで上下調節可能に構成されている。
【００４４】
収穫部Ｂには、収穫すべき２条の玉ねぎＷの葉茎Ｗｂの両脇に位置する縦回し型の葉茎引上げ装置１０、その後方に位置する横回し型の葉茎掻上げ装置１１、さらにその後方に位置する挟持引上げ搬送装置１２、挟持引上げ搬送装置１２の始端側の下方に位置する土崩し装置１３、挟持引上げ搬送装置１２の下方に位置する位置揃え装置１４、挟持引上げ搬送装置１２と位置揃え装置１４との間に位置する葉切りカッタ１５、位置揃え装置１４の後部に位置する姿勢揃え装置１６、が基本的に備えられており、以下に各部の詳細な構成および機能を説明する。
【００４５】
〔葉茎引上げ装置１０（露地仕様）〕
【００４６】
縦回し型の葉茎引上げ装置１０は、ケース２１の上下に備えたスプロケット間に巻回されて縦回し駆動されるチェーン２２に多数の係止爪２３を起伏自在に連結して、係止爪２３を前方側に向けて突出させた姿勢で地面近傍から後方斜め上方に向けて移動させて玉ねぎＷの葉茎Ｗｂを引き上げるよう構成されたものであり、２条の玉ねぎＷそれぞれの左右両脇で作用するように配備されている。
【００４７】
ここで、葉茎引上げ装置１０は以下のように駆動されている。つまり、図２１の伝動系統図に示すように、ミッションケース５の前部に設けた作業用動力出力部２４に、ＰＴ０クラッチ２５を介して動力伝達が断続されるＰＴＯ軸２６が横架され、このＰＴＯ軸２６の左端から前方に向けて延出された前向き伝動軸２７の前端に、葉茎引上げ装置駆動用の横向き伝動軸２８が横架され、この横向き伝動軸２８によって３本の葉茎引上げ装置１０が駆動さるようになっている。
【００４８】
〔葉茎掻上げ装置１１（両仕様共用）〕
【００４９】
横回し型の葉茎掻上げ装置１１は、ケース３１の上下に備えたプーリ間に巻回されて横回し駆動されるベルト３２に多数の係止爪３３を連設し、この係止爪３３を横方側に向けて突出させた姿勢で地面近傍から後方斜め上方に向けて移動させて、玉ねぎＷの葉茎Ｗｂを掻き上げるよう構成されたものであり、左右一対のベルト３２が、互いのの係止爪３３が重複するように対向して配備され、葉茎引上げ装置１０によって引き上げられた２条の玉ねぎＷの葉茎Ｗｂが、両ベルト３２の始端部で左右から掻き集められた後、後方上方へへ掻き上げられるようになっている。
【００５０】
この場合、葉茎掻上げ装置１１は、係止爪３３を横回し移動させて葉茎Ｗｂを掻上げるので、前後方向に向いている葉茎Ｗｂに対しては係止爪３３が大きく交差するようにして確実に係止するので、葉茎引上げ装置１０によって引き上げられられなかっても、上記したように前向きに倒れた姿勢に修正されることで、葉茎掻上げ装置１１による掻き上げ作用を確実に受けることができ、全ての葉茎Ｗｂがもれなく掻き上げられる。
【００５１】
〔挟持引上げ搬送装置１２（両仕様共用）〕
【００５２】
挟持引上げ搬送装置１２は、上下のプーリ間に巻回されて横回し駆動される左右一対の幅広の挟持ベルト３４を対向配備して構成されたものであり、葉茎掻上げ装置１１によって掻き集められたた２条の玉ねぎＷの葉茎Ｗｂを左右の挟持ベルト３４で強く挟持して後方上方に移動することで、畝上にある２条の玉ねぎＷを引き上げて後方上方に吊り下げ搬送するよう構成されている。
【００５３】
なお、図２１に示すように、ＰＴＯ軸２６からウオーム減速機構３６およびチェーン３７を介して取出された動力で、挟持引上げ搬送装置１２における左側の挟持ベルト３４が駆動されるとともに、この左側の挟持ベルト３４の前端から取出された動力で葉茎掻上げ装置１１における左側のベルト３２が駆動される。また、前記チェーン３７の中間に連動連結した伝動軸３８を介して取出された動力で、挟持引上げ搬送装置１２における右側の挟持ベルト３４が駆動されるとともに、この右側の挟持ベルト３４の前端から取出された動力で葉茎掻上げ装置１１における右側のベルト３２が駆動されるようになっている。
【００５４】
〔位置揃え装置１４（露地仕様専用）〕
【００５５】
位置揃え装置１４は、露地仕様において使用されるものであって、前後のプーリ間に巻回されて横回し駆動される左右一対の案内ベルト４７を対向配備して構成され、前後方向に略水平に設置されている。従って、この位置揃え装置１４とその上方の挟持引上げ搬送装置１２との間隔が、搬送方向後方側ほど大きくなっており、挟持引上げ搬送装置１２で葉茎を挟持されて斜め後方上方に搬送される玉ねぎＷの葉茎Ｗｂを左右の案内ベルト４７の間に導入することで、挟持引上げ搬送装置１２によって上方に引き上げられようとする玉ねぎ本体を案内ベルト４７の下面で受け止めて、それ以上の上方移動を阻止することで、玉ねぎ本体Ｗａの高さを一定に揃えるように構成されているのである。なお、図１６に示すように、この位置揃え装置１４における左右の案内ベルト４７は、葉茎掻上げ装置１１における左右のベルト３２の後端から取出した動力でそれぞれ駆動されるようになっている。
【００５６】
ここで、挟持引上げ搬送装置１２における左右の挟持ベルト３４による葉茎挟持力は、圃場からの玉ねぎ引上げを行う搬送前端側では強く、位置揃え装置１４との協働で玉ねぎ本体Ｗａの高さを揃える搬送領域では挟持力を弱くして、位置揃え装置１４によって上方移動が阻止された玉ねぎＷの葉茎Ｗｂが挟持引上げ搬送装置１２から相対的に下方に引き抜かれるようになっている。
【００５７】
〔葉切りカッター１５（露地仕様専用）〕
【００５８】
葉切りカッター１５は、露地仕様において使用されるものであって、前記ＰＴＯ軸２６から屈伸可能に連設された一対のチェーン伝動機構４８，４９の前端部に装備された単一の円盤カッタとして構成され、直線スライド案内機構５０に沿って上下に位置調節することが可能となっている。従って、前記位置揃え装置１４によって玉ねぎ本体Ｗａの高さが揃えられた玉ねぎＷの葉茎Ｗｂを切断するとともに、その作用位置を調節することで、玉ねぎ本体Ｗａに切り残される葉茎Ｗｂの長さを調節することができるようになっている。
【００５９】
〔土崩し装置１３（露地仕様）〕
【００６０】
図１８〜図２０に示すように、土崩し装置１３は、挟持引上げ搬送装置１２による玉ねぎＷの畝からの引抜きを容易にするものであり、畝肩の裾近くおよび畝の上面から機体進行方向右側の２条の玉ねぎＷの下方にまで入り込むよう正面視Ｌ字状に屈折された左右一対の土切り崩し体４１によって構成されている。各土切り崩し体４１は、機体フレーム９の前部に支点ａ周りに前後揺動可能に枢支されるとともに、その上方延出端と前記ＰＴＯ軸２６の右端に備えた偏心クランク部４３とがロッド４４で連動連結され、偏心クランク部４３を介してロッド４４が押し引き駆動されることで、土切り崩し体４１が支点ａ周りに一定の小ストロークで前後に揺動駆動され、玉ねぎＷの下方の土を崩して膨軟化することで、挟持引上げ搬送装置１２によって葉茎Ｗｂを挟持されて引上げられる玉ねぎＷが無理なく抜き上げられるようになっている。
【００６１】
〔姿勢揃え装置１６（露地仕様専用）〕
【００６２】
姿勢揃え装置１６は、位置揃え装置１４の終端側に搬送経路を挟んで配備されたガイドバー５１およびガイド板５２と、左側の案内ベルト４７の終端から取出した動力で駆動される突起付きベルト５３とからなり、葉切りされた後、切り残された葉茎Ｗｂを左右の案内ベルト４７によって挟持されて後方に搬送されてきた玉ねぎ本体Ｗａを、ガイドバー５１とガイド板５２とのよって回収しやすい横向き姿勢に修正して畝上に強制放出してゆくように構成されている。
【００６３】
露地仕様の玉ねぎ収穫機は以上のように構成されており、平畝に露地栽培されている４条の玉ねぎＷに対して、一行程の前進で進行方向右側の２条の玉ねぎＷを引き抜いて所定の長さで葉切り処理し、畝の上に放置してゆくことになる。そして、その後、葉切りされて畝上に残し置かれた玉ねぎＷを機械式あるいは人手によって回収してゆく。
【００６４】
次に、マルチ仕様の玉ねぎ収獲機の構成を図１〜図１３に基づいて説明する。このマルチ仕様の基本的な構成は、上記した露地仕様と同様であり、露地仕様のものと同一の部品および機能部位には同一の符号を付して、重複した説明を省略し、構造が相違している部位について以下に説明する。
【００６５】
〔葉茎引上げ装置１０（マルチ仕様）〕
【００６６】
このマルチ仕様においては、右側の玉ねぎ条の右外側に２本の葉茎引上げ装置１０が並列配備され、全体として４本の葉茎引上げ装置１０(1) 〜１０(4) が使用されており、図８の伝動系統図に示すように、横向き伝動軸２８によって全ての葉茎引上げ装置１０(1) 〜１０(4) が駆動されている。そして、これら葉茎引上げ装置１０(1) 〜１０(4) は、機体右側のものほど後傾斜に配置され、機体右側の２本の葉茎引上げ装置ケース１０(3) ，１０(4) のケース前端が、左側２本の葉茎引上げ装置１０(1) ，１０(2) のケース前端よりも前方下方に突出されている。また、最右側の葉茎引上げ装置１０(4) は、その内側の葉茎引上げ装置１０(3) よりも更に大きく後傾斜され、そのケース前端が内側の葉茎引上げ装置１０(3) のケース前端よりも更に前方下方に突出されている。なお、各葉茎引上げ装置１０(1) 〜１０(4) の係止爪２３は、弾性変形が容易な軟質の樹脂で成形されたものに構成されている。
【００６７】
〔マルチ用葉切り装置６０（マルチ仕様専用）〕
【００６８】
マルチ仕様においては、挟持引上げ搬送装置１２の始端部の下方に、挟持引上げ搬送装置１２によって挟持搬送され始めた玉ねぎＷの葉茎Ｗｂを切断するマルチ用葉切り装置６０が配備されている。このマルチ用葉切り装置６０は、位置揃え装置１４を構成する左右の案内ベルト４７を巻回した前部プーリ３９からチェーン６１を介して取出した動力で左右の円盤状の回転刃６２を互いに内向きに駆動回転するよう構成されている。
【００６９】
また、各回転刃６２の下には、ゴム製の掻き込み回転体６３がそれぞれ連結され、各回転刃６２と一体に回転駆動されるようになっている。この掻き込み回転体６３の外周面には大きいピッチで複数（図では６個）の掻込み突起６４が突設されており、葉切り装置１６に導入されかかった玉ねぎＷの葉茎Ｗｂを左右から係止して後方に掻き込むことで、左右回転刃６２の切断部位に送り込むようになっている。ここで、回転刃６２は、チェーン６１による伝動において増速されて駆動されており、これに伴って掻き込み回転体６３も高速で回転駆動される。この場合、掻き込み回転体６３の周速度、つまり、掻き込み回転体６３による後方への搬送速度は、挟持引上げ搬送装置１２および位置揃え装置１４による後方への搬送速度よりも速くなるように設定されている。
【００７０】
また、このマルチ用葉切り装置６０は機体に対して簡単に脱着できるよう構成されている。つまり、図９〜図１２に示すように、回転刃駆動用のチェーン６１を収容した左右の伝動ケース７０がフレーム板７１で一体連結され、このフレーム板７１の左右端から後方に延出された連結アーム７２の後端屈曲部７２ａが、機体フレーム９の左右に設けた連結金具７３の凹部７３ａに前方から係止されるとともに、フレーム板７１の左右から立ち上げた連結辺７４が機体フレーム９にボルト連結されるようになっている。また、各伝動ケース７０から上方に突出した入力軸７５の上端に伝動板７６が設けられるとともに、前記位置揃え装置１４における前部プーリ３９の下面には、伝動板７６に形成した伝動孔７７に係合する一対の伝動ピン７８が突設されており、マルチ用葉切り装置６０を、連結アーム７２および連結辺７４を介して機体フレーム９に連結することで、前部プーリ３９と入力軸７５とがピン連動され、かつ、連結辺７４のボルト連結を解除して、連結アーム７２を連結金具７３から離脱させることで、マルチ用葉切り装置６０全体を簡単に取外すことが可能となっているのである。なお、フレーム板７１の左右に把手７９を備えることで、マルチ用葉切り装置６０の脱着を容易に行うことができるようになっている。
【００７１】
また、このマルチ用葉切り装置６０の下部には、マルチシートの植付け孔から抜き上げられた根菜本体Ｗａが回転刃６２で切断されてしまうのを防止するための案内機構８０が備えられている。この案内機構８０は、図９〜１３に示すように、左右の回転刃６２の切断部位の前方において、遊端が上向きに屈曲された３本のガイド棒８１を左右に並列配置して構成されており、挟持引上げ搬送装置１２によって葉茎Ｗｂを挟持された根菜Ｗの根菜本体ＷａがマルチシートＦの植付け孔から抜き上げられてマルチ用葉切り装置６０の切断部位に近づくと、根菜本体Ｗａがガイド棒８１によって上方に案内されて挟持引上げ搬送装置１２の上に乗り上がり、そのまま後方上方に搬送されてゆくようになっている。なお、ガイド棒８１群の左右外側には、葉茎Ｗｂを切断部位に導くガイド棒８４が前広がり状に配置固定されている。
【００７２】
ここで、３本のガイド棒８１のうち左右のガイド棒８１は、フレーム板７１の後部に前後位置調節可能に取付けられた支持板８３から前向き片持ち状に延出されるとともに、中央のガイド棒８１は左右のガイド棒８１に亘って支持されるとともに、左右のガイド棒８１よりも上方にまで延出されている。このように、案内機構８０が回転刃６２の下方にまで配備されていることで、挟持引上げ搬送装置１２によって葉茎Ｗｂを挟持された根菜ＷがマルチシートＦごと引き上げられたような場合、ガイド棒８１がマルチシートＦの上面を受け止めてそれ以上の上昇を阻止することになり、根菜本体ＷａやマルチシートＦが回転刃６２に接触するようなことが回避される。なお、支持板８３の位置を前後に調節することで、ガイド棒８１全体を切断部位に対して前後調節することが可能となっており、圃場条件や根菜Ｗの生育条件などに応じて最適の案内位置を設定して利用することができる。
【００７３】
このように、案内機構８０を、上記のように脱着可能に構成したマルチ用葉切り装置６０に装着することで、マルチ用葉切り装置６０と案内機構８０を一体脱着可能なユニットとして取り扱うことができるようになっている。
【００７４】
〔土崩し装置１３〕
【００７５】
図５〜図７に示すように、マルチ仕様における土崩し装置１３は、葉切りされて畝に残された玉ねぎ本体Ｗａの周辺の土を切り崩して、後の引上げ回収を容易に行えるようにするものであり、畝肩の裾近くから右２条の玉ねぎＷの下方にまで入り込むよう正面視Ｌ字状に屈折されたの土切り崩し体４１と、この土切り崩し体４１の直前方位置の若干外側において畝肩の裾近くに突入するシートめくり上げ用補助具４２とからなり、土切り崩し体４１は機体フレーム９の前部に支点ａ周りに前後揺動可能に枢支されるとともに、その上方延出端と前記ＰＴＯ軸２６の右端に備えた偏心クランク部４３とがロッド４４で連動連結され、偏心クランク部４３を介してロッド４４が押し引き駆動されることで、土切り崩し体４１が支点ａ周りに一定の小ストロークで前後に揺動駆動され、玉ねぎＷの下方の土を崩して膨軟化することで、玉ねぎＷが無理なく抜き上げられるようになっている。
【００７６】
また、シートめくり上げ用補助具４２も支点ｂ周りに前後揺動可能に枢支されるとともに、連係ロッド４５を介して土切り崩し体４１に連動連結され、土切り崩し体４１の前後揺動に同期して前後に揺動駆動されるようになっており、畝肩の裾部を切り崩しながら前進移動することで、後続の土切り崩し体４１の土中への突入抵抗を軽減するとともに、畝に掛けられたマルチシートＦの右側の裾を少し押し上げてめくり上げながら前進する。このように、シートめくり上げ用補助具４２によってマルチシートＦの右側の裾を自由にしてめくり上げが容易な状態にしておくことで、後続する土切り崩し体４１によるマルチシートＦのめくり上げが無理なく円滑に行われる。また、このシートめくり上げ用補助具４２からは、このシートめくり上げ用補助具４２ですくい上げたマルチシートＦの裾を土切り崩し体４１にまで案内して、マルチシートＦが土切り崩し体４１に引っ掛けられるのを回避するためのシート案内部４６が延出されている。
【００７７】
このように葉切りを行いながら機体が通過した後は、切り残された短い葉茎がマルチシートＦの栽培孔から突出している状態となり、マルチシートＦは葉茎Ｗｂに邪魔されることなく簡単にめくり上げることができる。そして、マルチシートＦをめくり取ると、畝上には短く葉切りされた根菜本体Ｗａが浮き上がった状態で並んでおり、これを回収すればよい。
【００７８】
マルチ仕様の玉ねぎ収穫機は以上のように構成されており、マルチ掛けされた平畝に栽培されている４条の玉ねぎＷに対して、一行程の前進で進行方向右側の２条の玉ねぎＷの葉茎Ｗｂを葉切り装置１６によって切断し、一往復移動することで一畝４条の葉切りを行い、次に、マルチシートＦを巻取り除去、あるいは、めくり上げ除去して畝面を露出させ、葉切りされて畝上に残し置かれた玉ねぎＷを機械式あるいは人手によって回収してゆく。
【００７９】
本発明は、以下のような形態で実施することも可能である。
（１）マルチ用葉切り装置６０を常備したままで、作用位置と非作用位置とに位置変更するように構成して、露地仕様とマルチ仕様の変更を行うように構成することも可能である。
（２）前記案内機構８０のガイド棒８１に代えて板金構造のガイド部材を利用することもできる。
【図面の簡単な説明】
【図１】マルチ仕様の根菜類収穫機の全体側面図
【図２】マルチ仕様の根菜類収穫機の全体平面図
【図３】マルチ仕様の根菜類収穫機の全体正面図
【図４】マルチ仕様の収穫部の側面図
【図５】マルチ仕様の収穫部の前部を示す平面図
【図６】マルチ仕様の収穫部の一部を示す正面図
【図７】マルチ仕様の土崩し装置の側面図
【図８】マルチ仕様の伝動系統図
【図９】マルチ用葉切り装置の平面図
【図１０】マルチ用葉切り装置の正面図
【図１１】（イ）取付けられたマルチ用葉切り装置の側面図
（ロ）取外されたマルチ用葉切り装置の側面図
【図１２】マルチ用葉切り装置の伝動構造を示す側面図
【図１３】案内機構の機能を示す側面図
【図１４】露地仕様の根菜類収穫機の全体側面図
【図１５】露地仕様の根菜類収穫機の全体平面図
【図１６】露地仕様の根菜類収穫機の全体正面図
【図１７】露地仕様の収穫部の側面図
【図１８】露地仕様の収穫部の前部を示す平面図
【図１９】露地仕様の収穫部の一部を示す正面図
【図２０】露地仕様の土崩し装置の側面図
【図２１】露地仕様の伝動系統図
【符号の説明】
１２          挟持引上げ搬送装置
１４          位置揃え装置
１５          葉切りカッタ
４１          土切り崩し体
４２          シートめくり上げ用補助具
６０          マルチ用葉切り装置
６２          回転刃
６３          掻き込み回転体
６４          突起
８０          案内機構
８１          ガイド棒
Ｆ            マルチシート
Ｗ            根菜
Ｗａ          根菜本体
Ｗｂ          葉茎
【図１】
0003672508.tif 000002
【図２】
0003672508.tif 000003
【図３】
0003672508.tif 000004
【図４】
0003672508.tif 000005
【図５】
0003672508.tif 000006
【図６】
0003672508.tif 000007
【図７】
0003672508.tif 000008
【図８】
0003672508.tif 000009
【図９】
0003672508.tif 000010
【図１０】
0003672508.tif 000011
【図１１】
0003672508.tif 000012
【図１２】
0003672508.tif 000013
【図１３】
0003672508.tif 000014
【図１４】
0003672508.tif 000015
【図１５】
0003672508.tif 000016
【図１６】
0003672508.tif 000017
【図１７】
0003672508.tif 000018
【図１８】
0003672508.tif 000019
【図１９】
0003672508.tif 000020
【図２０】
0003672508.tif 000021
【図２１】
0003672508.tif 000022